(57)【要約】【課題】  斜めか横たえて収納した曲面体類を取り出し皹を入れる時ぐらつかず、後に殻入れになる曲面体固定容器を提供する。【解決手段】  土台上の任意の周囲箇所に高さの異なる壁面部を有し、土台底面の水平方向に対して、高壁面部の芯方向は垂直で上端は頂上と頂上線を有し、低壁面部は外側に向け垂直以上の鈍角で成り、重量の大半を土台部分が有することを特徴とする。【選択図】図１
2018118019.tif 000002
【特許請求の範囲】
【請求項１】
土台上の任意の周囲箇所に高さの異なる壁面部を有し、土台底面の水平方向に対して、高壁面部の芯方向は垂直で上端は頂上と頂上線を有し、低壁面部は外側に向け垂直以上の鈍角で成り、重量の大半を土台部分が有することを特徴とする、曲面体固定容器。
【請求項２】
重心が高壁面部側にあり、高さに高低のある低壁面部を有し、角部等に適宜、肉付けをし滑らかな全体形状にしたことを特徴とする、請求項１記載の曲面体固定容器。
【請求項３】
高壁面部を兼用して、並列、縦列、対称、それらのミックス、放射状に、二つ以上の土台の上面を有し、硬質で成ることを特徴とする、請求項１、２記載の曲面体固定容器。
【発明の詳細な説明】
【技術分野】
【０００１】  斜めか横たえて収納した曲面体類を取り出して皹を入れる時、ぐらつかず、殻入れとして兼用できる、曲面体を固定する容器に関する。
【背景技術】
【０００２】  多数分を小分けしないで収納するボールや小分け出来る柔らかいパッケージがある。平板台上に鋭利な突起が上方に突き出した器具がある。割るための別器具を取り付けた容器がある。重心を中間以上の高さ位置に有する器具がある。
【先行技術文献】
【特許文献】
【０００３】
【特許文献１】特開平８−３２２７４４
【特許文献２】特開２０００−１１６５４８
【発明の概要】
【発明が解決しようとする課題】
【０００４】  そのために次のような問題点があった。
楕円球体の収納が縦向きなので、周囲壁内の深さはその曲面体の長径の半分以上なければ安定せず、その深さでは出し入れがやりにくかった。
曲面体の中間位置の左右端部を、同時に完全に掴める容器はなくてやりずらかった。
鋭利な突起が突き出しているものは危険だった。
少数用に区分けされた硬質な容器はなく、大きなボールを代用していた。
個別に固定できないので、曲面体は転がり易く割れ易く、また個体が互いの衝撃で割れたりした。皹を入れたい時は、別に入れる場所を求めなければならなかった。
曲面体を収納しつつ同時に皹入れが行え、かつ殻収納として兼用できる容器はなく、他に用意するしかなかった。
硬質でも壁部が同じ高さなので、収納した曲面体を取り出しにくかった。壁面が低ければ、固定保護が不完全だった。取って部がないので持ちにくかった。
【課題を解決するための手段】
【０００５】  土台上の任意の周囲箇所に高さの異なる壁面部を有し、土台底面の水平方向に対して、高壁面部の芯方向は垂直で上端は頂上と頂上線を有し、低壁面部は外側に向け垂直以上の鈍角で成り、重量の大半を土台部分が有することを特徴とする。
【発明の効果】
【０００６】      イ）  下方に重心があるので、ぶつけることが安定して行えるようになった。
ロ）  楕円球体を傾けるか横たえて置けるようになったので固定は安定し、また中            間位置の左右を同時に深く掴めて持ちやすくなった。
ハ）  個別に固定できるので、曲面体の個体が互いの衝撃で割れたり皹が入ったり            することがなくなった。硬質な壁部のため、曲面体は収納固定保護が安定す            るようになった。
ニ）  皹を入れる場所を本体が有し、他に求めなくてよくなった。
ホ）  高壁面部が取って部替わりをし、全体を上側から持ち上げ易くなった。
【図面の簡単な説明】
【０００７】
【図１】壁面部の一部が欠けている一個用の第一形態である。
【図２】壁面部の一部が欠けている五個用の第一形態である。
【図３】高壁面部を兼用し土台の上面を肉付けした第二形態である。
【図４】高壁面部を兼用し土台の上面を肉付けした第三形態である。
【図５】高壁面部を兼用し土台の上面を肉付けした第三形態である。
【図６】高壁面部を兼用した四個用の第四形態である。
【発明を実施するための形態】
【実施例１】
【０００８】  先ず、本発明の実施の形態の概略を図１を用いて述べる。
土台底面（７）の水平方向に対して、高壁面部（１）の芯方向は垂直で成り、低壁面部（６）は外側に向け垂直以上の鈍角で周囲の二方向以上を囲んで成る。高壁面部の上端形状は中間で分かれて端部に向け緩やかに下り、頂上線（３）を有する。この頂上線は必然的に頂上並びに頂点（２）を有するが、それは手を当てても傷を受けない、一点か曲線を脅かさない程度の数点か一線である。以下これらを頂点と称する。少なくとも頂点位置の真下の土台底面位置からその辺りは最下位置にある。高壁面部の頂点と低壁面部上端中央を結ぶラインは水平方向に対し斜めを呈する。
升目印は重心（４）の目安位置とするが、示しにくい時は表示しない。
曲面体（８）のうち、楕円球体の固定の仕方については、主に高、低壁面部の付け根をストッパー替わりにして挿入する。その状態から取り出して、高壁面部に対し真上からぶつける。この衝撃を土台底面が直に受け止めることになるが、高壁面部について上端形状に丸みがあることや、一面状の幅があったり厚みがあったりすることで、また高壁面部の付け根への肉付けや低壁面部周辺の傾き具合で、その衝撃を緩和し吸収する。衝撃に対し本体がぐらつかないように、重量の大半を土台部分が有する。
曲面体を安全に固定することや本体が倒れにくいこと等の条件を満たす必要があり、重量、容積についても高壁面部の高さや高壁面部を支える土台底面の広さの比率に注意する必要があるが、これらは収納する対象物や本体形状等に関わり選択の範囲となる。
硬質な材質を選択する、又は硬質に作り上げる。【０００９】  図１、図２を用いて、低壁面部の両端部が欠けている、又は高、低壁面部（１、６）が離れている第一形態の説明をする。
図１ａは高壁面部を左側に置いた平面図で、高壁面部と頂上線（３）と頂点（２）と低壁面部と土台（５）の上面を示す。高壁面部を土台周囲の一面部程度に有する。その近くの升目位置に重心（４）がある。ｂはａの状態の立体図で高、低壁面部と土台底面（７）を示す。破線は挿入した曲面体（８）を示し、実線は高壁面部の頂点からの芯方向と土台底面方向との直交関係を示す。芯方向は形状によっては高壁面部の内部を通過するとは限らない。ｃは低壁面部側からの立体図である。
使い方を説明する。ｂ、ｃで挿入した曲面体の球体はそのまま載せ、楕円球体の場合は、低壁面部の付け根をストッパーにして高壁面部側にもたれかけさせる。そのため高壁面部の内側面は下側の土台の上面から楕円球体の曲面に添う形状で繋がるように肉付けする方がより良い。取り出す時は土台上の壁面部が欠けている箇所に指先を入れて取り出す。鶏卵ならば高壁面部頂点位置に真上からぶつけて皹を入れ、中味を別器具に入れた後、殻の方を土台上に戻す。使い方の大半については以下に準ずる。【００１０】  図２については、放射状に設けた仕切り（９）によって、土台（５）の上面が五箇所に仕切られた場合で、中心に設けた高壁面部（１）を兼用して、周囲に低壁面部（６）を設けた。
ａは平面図で高、低壁面部と頂点（２）と土台と仕切りを有する。ｂは略式なａの左右中央断面での使用図で、高、低壁面部と土台底面（７）と収納した曲面体（８）の状態を示す。低壁面部の上部に欠け所（１０）を設けている。欠け所の欠け具合は収納する曲面体の表面に添う形状が望ましい。ｃはａの平面図での使用図で、二種類の曲面体の挿入状態を示すが、楕円球体の場合、低壁面部に欠け所を設ける方が固定し易い。その他、肉付け選択箇所（１１）に肉付けをし土台の上面を凹み状にする等で、より固定を安全に完全にできるようにしていく。
ｂ、ｃで使い方を説明すると、前記と同様であるが、楕円球体を欠け所に預けて載せると、完全に横たえて固定することが出来る点が異なってくる。【００１１】  図３〜図６を用いて高、低壁面部（１、６）を繋いで設け、この二種の区別が明確ではない場合を説明する。
図３を用いて、肉付けをして土台の上面を凹み状にした第二形態を説明する。
高壁面部を兼用して、対称形にあるいは逆向きに二箇所の土台（５）の上面を設けた場合である。ａは平面図で、高、低壁面部と頂上線（３）と土台の上面と欠け所（１０）を示す。ｂはａの左側からの立体図で高、低壁面部と土台底面（７）を示す。ｃはａの左右中央の断面図であり使用図で、欠け所の有無による曲面体（８）の収納状態の違いを示した。
使い方は、前記同様である。平行な二箇所の低壁面部箇所に欠け所を設ければ、幅に余裕がなくても横たえた曲面体の腹部を二本の指でより完全に掴み取ることが出来る。この点に於いては第一形態の高、低壁面部が離れているか低壁面部が欠けた場合と類似する。【００１２】  図４、図５を用いて高壁面部（１）を延長し、仕切りを設け、土台（５）の上面を斜めに肉付けした第三形態を説明する。
図４ａは平面図で高壁面部と頂上線（３）と低壁面部（６）と土台と仕切り（９）を有する。仕切りは他に高、低壁面部の両方に繋る場合と低壁面部の場合がある。仕切りによって土台の上面は実際に又は疑似的に二箇所に分かれる。ｂはａの場合の立体図で高、低壁面部と頂点（２）と土台底面（７）とを示す。ｃはａの左右中央の断面図であり使用図である。図５は低壁面部の一部を引き込んで仕切りにした場合である。ａは平面図で升目は重心（４）の目安位置を示す。ｂはａの状態の立体図、ｃはａの左右中央の断面図である。使い方は前記同様である。【００１３】  図６を用いて、第四形態を説明する。
高壁面部（１）を延長して兼用し、対称形にあるいは逆向きに土台（５）の上面を設けた場合である。ａは平面図で、高壁面部と頂上線（３）と低壁面部（６）と四箇所の土台の上面を示す。角の窪みは、固定がより確実にできるように設ける、肉付け選択箇所（１１）となる。ｂはａの場合の左側からの立体図で高、低壁面部と土台底面（７）を示す。高壁面部の中間位置に突起か穴（１２）を設ければ、高壁面部を取って部として使用する時の指先のストッパーとなる。ｃはａにおける使用図で、二種類の曲面体（８）の収納状態を示す。角部側に欠け所（１０）を有する。使い方は前記同様である。
【符号の説明】
【００１４】１    高壁面部                ２    頂点                  ３    頂上線
４    重心                    ５    土台                  ６    低壁面部
７    土台底面                ８    曲面体                ９    仕切り
１０  欠け所                  １１  肉付け選択箇所        １２  突起か穴
【図１】
2018118019.tif 000003
【図２】
2018118019.tif 000004
【図３】
2018118019.tif 000005
【図４】
2018118019.tif 000006
【図５】
2018118019.tif 000007
【図６】
2018118019.tif 000008
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
土台上の周囲箇所に高さに高低のある壁面部を有し、土台底面の水平方向に対して、一か所の高壁面部側の芯方向は垂直に近く、重心位置が前記高壁面部側にあり、他の低壁面部側は上方外側に向け垂直以上の鈍角で成り、土台部分が厚みや材質によって重量の大半を有することを特徴とする、曲面体固定容器。
【請求項２】
上端が頂上と頂上線を緩やかに有した高壁面部を兼用し、並列、縦列、対称、それらのミックス形、又は放射状に、二つ以上に区分けられた土台上面を有し、角部等に適宜、肉付けをし滑らかな全体形状で、硬質で成ることを特徴とする、請求項１記載の曲面体固定容器。
【請求項３】
土台上の周囲箇所に一か所の高壁面部と低壁面部を有し、前記低壁面部の一か所以上に、内側か下側に向け欠け所を有し、楕円球体の長径方向に対して直交方向で前記楕円球体の腹部を指先で摘み上げられる空間ないしは隙間をその上方に有することを特徴とする、請求項１、２記載の曲面体固定容器。
【請求項４】
土台底面の水平方向に対して、芯方向が垂直に近い高壁面部の頂上付近の一部か全体を覆うことが可能なキャップであることを特徴とする、請求項１、２、３記載の曲面体固定容器。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
楕円形や多角形の土台上の周囲箇所に一箇所の高壁面部と一箇所以上の高さに高低のある低壁面部を有し、土台底面の水平方向に対して、前記高壁面部側の芯方向は垂直に近い方向で立ち、重心位置が前記高壁面部側にあり、前記低壁面部側は上方外側に向け垂直以上の鈍角で立ち、土台部分が厚みや材質によって重量の大半を有することを特徴とする、曲面体固定容器。
【請求項２】
上端の頂上と頂上線を緩やかに有した高壁面部を中心にして、個室が並列、縦列、対称、それらのミックス形、又は放射状に二箇所以上配列し、前記個室に区分けられて有した角部等に適宜、肉付けをした滑らかな全体形状で、硬質で成ることを特徴とする、請求項１記載の曲面体固定容器。
【請求項３】
底壁面部や仕切りの内側か下側に向けて土台上面と同じ水平位置までの欠け所を有することを特徴とする、請求項１、２記載の曲面体固定容器。
【請求項４】
土台底面の水平方向に対して、芯方向が垂直に近い高壁面部の頂上付近の一部か全体を覆うことが可能なキャップであることを特徴とする、請求項１、２、３記載の曲面体固定容器。